(57)【特許請求の範囲】
【請求項１】
茶畝を跨いで走行可能な門型機体に送風機が積載された乗用型茶葉摘採機であって、
前記門型機体の下側において前向きで設けられ、車幅方向に延在して前記茶畝を刈り取るバリカン刃と、
前記バリカン刃の上側に設けられ、前記バリカン刃が刈り取った茶葉を圧力風で吹き上げて搬送する搬送ダクトと、
前記送風機で生成された圧力風を前記搬送ダクトの後下縁と前記バリカン刃との間から前記搬送ダクト内へ向けて吹き出して、前記搬送ダクト内に吹き上げる圧力風を供給する送風ダクトと、
を有し、
前記搬送ダクトは、
前記バリカン刃の直上に設けられて、前記バリカン刃に対応した幅で長い下部共通ダクト部と、
前記下部共通ダクト部の上において車幅方向に並べて設けられる右分岐ダクト部および左分岐ダクト部と、
前記右分岐ダクト部と前記左分岐ダクト部とが連結される中央連結部分から前記バリカン刃の直上までを仕切って前記下部共通ダクト部を左右に二分して前記バリカン刃によって刈り取られる茶葉を仕分ける仕切板と、を有し、
前記仕切板の前縁は、前記バリカン刃の前縁と同じ前後位置又は前記バリカン刃の前縁より前側となる位置に達する、
乗用型茶葉摘採機。
【請求項２】
前記仕切板の前縁は、前記バリカン刃の前縁より前側に突出する突出部により形成され、
前記突出部の下縁は、前記バリカン刃の前側において前記バリカン刃と略同じ高さまで下へ延在する、
請求項１記載の乗用型茶葉摘採機。
【請求項３】
前記バリカン刃の前縁より前側に突出する前記突出部は、車幅方向において幅広に形成される、
請求項２記載の乗用型茶葉摘採機。
【請求項４】
前記送風ダクトは、前記搬送ダクトの後下縁を車幅方向全幅にわたって囲って前記搬送ダクトの後板との間に上向きの吹出口を形成する折返片を有し、
前記仕切板は、前記折返片と前記搬送ダクトの後板との間にも設けられる、
請求項１から３のいずれか一項記載の乗用型茶葉摘採機。
【発明の詳細な説明】
【技術分野】
【０００１】
本発明は、茶葉を摘採して回収する乗用型茶葉摘採機に関する。
【背景技術】
【０００２】
特許文献１は、乗用型茶葉摘採機を開示する。
乗用型茶葉摘採機は、茶畝を跨いで走行可能な門型機体を有する。そして、門型機体から下側へ刈取装置が突出し、この刈取装置のバリカン刃により、茶畝から茶葉を刈り取る。また、刈り取った茶葉は、圧力風で吹き上げて搬送ダクトにより搬送して回収する。
【０００３】
ところで、このような乗用型茶葉摘採機では、特許文献１に開示されるように搬送ダクトは、右分岐ダクトと左分岐ダクトとの二つに分岐されている。
これにより、門型機体の中央部分に重量物である送風機を配置するとともに、搬送ダクトの後側に設けられる送風ダクトとこの送風機とを連結するダクトチューブを、二つの分岐ダクトの間に通すことができる。乗用型茶葉摘採機において、バランスのとれた好適な機器のレイアウトが可能になる。
【先行技術文献】
【特許文献】
【０００４】
【特許文献１】特開２０１３−０８１３８７号公報
【発明の概要】
【発明が解決しようとする課題】
【０００５】
しかしながら、搬送ダクトを、右分岐ダクトと左分岐ダクトとの二つに分岐した場合、搬送ダクト内で圧力風が乱れ易くなる。
たとえば、搬送ダクトは、本来バリカン刃と同等の車幅方向の流路に形成されるのが望ましいが、ダクトチューブを通すために、少なくともその分で流路幅が狭くなる。その結果、その流路が狭まることにより、右分岐ダクト内および左分岐ダクト内で圧力風の向きが変化し、圧力風が乱れるようになる。
この他にもたとえば、搬送ダクトを右分岐ダクトと左分岐ダクトとの二つに分岐して構成した場合、右分岐ダクトと左分岐ダクトとが連結される車幅方向中央部には、圧力風が吹き付けられる中央分岐面が形成される。中央分岐面に吹き付けられた圧力風は、たとえば車幅方向外側へ向けて左方向および右方向へ向かう圧力風となる。その結果、中央分岐面の周辺では、異なる向きの圧力風同士が混ざり合い、圧力風が乱れるようになる。
そして、これらの乱流が発生すると、その下流側での風の圧力は低下し易い。圧力風による茶葉の搬送能力が低下し易くなる。搬送中の茶葉が搬送ダクト内で絡み合ったり、詰まったりし易くなる。
【０００６】
このように、茶葉を摘採して回収する乗用型茶葉摘採機では、さらなる改善が求められている。
【課題を解決するための手段】
【０００７】
本発明の茶葉摘採機は、茶畝を跨いで走行可能な門型機体に送風機が積載された乗用型茶葉摘採機であって、前記門型機体の下側において前向きで設けられ、車幅方向に延在して前記茶畝を刈り取るバリカン刃と、前記バリカン刃の上側に設けられ、前記バリカン刃が刈り取った茶葉を圧力風で吹き上げて搬送する搬送ダクトと、前記送風機で生成された圧力風を前記搬送ダクトの後下縁と前記バリカン刃との間から前記搬送ダクト内へ向けて吹き出して、前記搬送ダクト内に吹き上げる圧力風を供給する送風ダクトと、を有し、前記搬送ダクトは、前記バリカン刃の直上に設けられて、前記バリカン刃に対応した幅で長い下部共通ダクト部と、前記下部共通ダクト部の上において車幅方向に並べて設けられる右分岐ダクト部および左分岐ダクト部と、前記右分岐ダクト部と前記左分岐ダクト部とが連結される中央連結部分から前記バリカン刃の直上までを仕切って前記下部共通ダクト部を左右に二分して前記バリカン刃によって刈り取られる茶葉を仕分ける仕切板と、を有し、前記仕切板の前縁は、前記バリカン刃の前縁と同じ前後位置又は前記バリカン刃の前縁より前側となる位置に達する。
【０００８】
好適には、前記仕切板の前縁は、前記バリカン刃の前縁より前側に突出する突出部により形成され、前記突出部の下縁は、前記バリカン刃の前側において前記バリカン刃と略同じ高さまで下へ延在する、とよい。
【０００９】
好適には、前記バリカン刃の前縁より前側に突出する前記突出部は、車幅方向において幅広に形成される、とよい。
【００１０】
好適には、前記送風ダクトは、前記搬送ダクトの後下縁を車幅方向全幅にわたって囲って前記搬送ダクトの後板との間に上向きの吹出口を形成する折返片を有し、前記仕切板は、前記折返片と前記搬送ダクトの後板との間にも設けられる、とよい。
【発明の効果】
【００１１】
本発明では、搬送ダクトについてのバリカン刃の直上の下部共通ダクト部には、右分岐ダクト部と左分岐ダクト部とが連結される中央連結部分からバリカン刃の直上までを仕切る仕切板が設けられ、これにより下部共通ダクト部が左右に二分される。よって、送風ダクトにより供給されて、搬送ダクトの後下縁とバリカン刃との間から搬送ダクト内へ向けて吹き出して搬送ダクト内を吹き上げる圧力風は、吹き込み時点から仕切板により分離される。その結果、右分岐ダクト部側の圧力風と左分岐ダクト部側の圧力風とが搬送ダクトの途中で合流して乱れたり、右分岐ダクト部と左分岐ダクト部との中央連結部分において乱れたりし難くなる。右分岐ダクト部側の圧力風と左分岐ダクト部側の圧力風とは互いに分離した状態のまま、各々のダクト内をスムースに流れるようになる。右分岐ダクト部の下流側や左分岐ダクト部側の下流側において、茶葉の搬送能力が低下し難くなり、ダクト内に茶葉が詰まり難くなる。
【００１２】
また、右分岐ダクト部および左分岐ダクト部の下側には、バリカン刃に対応した幅で長い下部共通ダクト部が設けられる。よって、右分岐ダクト部と左分岐ダクト部との連結部分は、バリカン刃の直上に位置せず、バリカン刃から上方へ離れたところに位置する。しかも、バリカン刃の車幅方向中央部分の直上には、板状の仕切板が設けられる。このように、バリカン刃の車幅方向中央部分の直上には、右分岐ダクト部および左分岐ダクト部そのものではなく、薄い板状の部材が設けられている。これにより、バリカン刃の車幅方向中央部分の直上の部材による、バリカン刃による刈り取り性能に対する影響を最小限にすることができる。これに対して、仮にたとえば右分岐ダクト部および左分岐ダクト部そのものを、バリカン刃の車幅方向中央部分の直上まで延長した場合には、バリカン刃の車幅方向中央部分の直上には幅広の部材が位置してしまうことになり、バリカン刃による刈り取り性能に大きな影響を与えてしまう。
【００１３】
しかも、仕切板の前縁は、バリカン刃の前縁と同じ前後位置又はバリカン刃の前縁より前側となる位置に達する。よって、バリカン刃についての車幅方向中央部では、バリカン刃により刈り取りが始まる前に茶畝の茶葉や茎が仕切板により左右に仕分けられ易くなる。バリカン刃は、仕切板により左右に仕分けられた状態で茶畝の茶葉や茎を、他の部分と同様に刈り取り始めることができる。
【００１４】
これに対して、仮にたとえば仕切板の前縁がバリカン刃の前縁より後側に下がっている場合、バリカン刃が刈り取った直後に又は刈り取り中に茶畝の茶葉や茎が仕切板に当たることが起き易くなる。特に、乗用型茶葉摘採機は刈り取りのために前へ走行しているので、仕切板に当たることにより茶畝の茶葉や茎には刈り取り中に曲げ力が作用し易い。そして、このようにたとえば刈り取り中に茎が曲がってしまうと、茶畝の中央部の刈り取りが乱れたり、茶畝の中央部と他の部分との間で刈り取り状態が異なってしまったりすることになる。このように刈り取りが乱れた場合、茶畝の茶葉が傷みやすくなるだけでなく、次回の刈り取りにおいても茶葉のばらつきが大きくなってしまう。茶葉の品質が安定し難くなり、低下し易くなる。
【図面の簡単な説明】
【００１５】
【図１】図１は、本発明の第１実施形態に係る乗用型茶葉摘採機の説明図である。
【図２】図２は、乗用型茶葉摘採機で一般的に用いられている搬送ダクトおよび送風ダクトの説明図である。
【図３】図３は、第１実施形態に係る搬送ダクトおよび送風ダクトの説明図である。
【図４】図４は、図３の搬送ダクトおよび送風ダクトについての車幅方向中央部分の説明図である。
【図５】図５は、第２実施形態に係る搬送ダクトおよび送風ダクトの説明図である。
【図６】図６は、第３実施形態に係る搬送ダクトおよび送風ダクトの説明図である。
【図７】図７は、第４実施形態に係る搬送ダクトおよび送風ダクトの説明図である。
【発明を実施するための形態】
【００１６】
以下、本発明の実施形態を、図面に基づいて説明する。
【００１７】
［第１実施形態］
図１は、本発明の第１実施形態に係る乗用型茶葉摘採機１の説明図である。
図１（Ａ）は正面図、図（Ｂ）は右側面図である。
【００１８】
図１の乗用型茶葉摘採機１は、左右のクローラ２の間に立設される門型機体３を有する。門型機体３の上板４には、たとえば、エンジンなどの動力源５、送風機６、乗員が着座するシート７が設けられる。左右の車幅方向の重量バランスを考慮して、送風機６は、左右の動力源５とシート７との間の中央部分に設けられる。上板４の後側には、搬送ダクト８、送風ダクト９、コンテナ１０が配置される。搬送ダクト８の下側には、バリカン刃１１を有する刈取機１２が設けられる。乗用型茶葉摘採機１は、左右のクローラ２が畝間を走行することにより、茶畝を跨いで走行することができる。
送風機６は、隣接する動力源５により回転駆動されるファンを有する。そして、ファンの回転により圧力風を生成して吹き出す。
【００１９】
図２は、乗用型茶葉摘採機１で一般的に用いられている搬送ダクト８および送風ダクト９の説明図である。図２（Ａ）は正面図、図２（Ｂ）はＡ−Ａ断面図、図２（Ｃ）は右側面図である。
【００２０】
搬送ダクト８は、右分岐ダクト部１３および左分岐ダクト部１４が車幅方向に並べられた構造を有する。このように搬送ダクト８を右分岐ダクト部１３と左分岐ダクト部１４とに二分した構造とすることにより、右分岐ダクト部１３と左分岐ダクト部１４との間に、搬送ダクト８の後側に位置する送風ダクト９と送風機６とを連結するダクトチューブ１５を通すことができる。
このように、門型機体３の中央部分に重量物である送風機６を配置するとともにダクトチューブ１５を左右の分岐ダクト部の間を通すことにより、乗用型茶葉摘採機１においてバランスのとれた好適な機器のレイアウトが可能になる。
【００２１】
しかしながら、図２に示すように、搬送ダクト８を、右分岐ダクト部１３と左分岐ダクト部１４との二つに分岐した場合、搬送ダクト８内で圧力風が乱れ易くなる。
たとえば、搬送ダクト８は、本来バリカン刃１１と同等の車幅方向の流路に形成されるのが望ましいが、ダクトチューブ１５を通すための分岐により、少なくともその分で流路幅が狭くなる。その結果、流路が狭まることにより、右分岐ダクト部１３内および左分岐ダクト部１４内で圧力風の向きが変化し、圧力風が乱れるようになる。
この他にもたとえば、搬送ダクト８を右分岐ダクト部１３と左分岐ダクト部１４との二つに分岐して構成した場合、右分岐ダクト部１３と左分岐ダクト部１４とが連結される車幅方向中央部では、圧力風が吹き付けられる中央分岐面１６が形成される。中央分岐面１６に吹き付けられた圧力風は、たとえば車幅方向外側へ向けて左方向および右方向へ向かう圧力風となる。その結果、中央分岐面１６の周辺では、複数の異なる向きの圧力風同士が混ざり合い、圧力風が乱れるようになる。
そして、これらの乱流が発生すると、乱流の下流側での風の圧力が低下し易い。圧力風による茶葉の搬送能力が低下し易くなる。搬送中の茶葉が搬送ダクト８内で絡み合ったり、詰まったりし易くなる。
そこで、本実施形態では、乱流の発生を抑えて、茶葉の搬送性能を高める。
【００２２】
図３は、本発明の第１実施形態に係る搬送ダクト８および送風ダクト９の説明図である。図３（Ａ）は正面図、図３（Ｂ）はＡ−Ａ断面図、図３（Ｃ）は右側面図である。
図４は、図３の搬送ダクト８および送風ダクト９についての車幅方向中央部分の説明図である。
【００２３】
図３および図４において、搬送ダクト８の下側には、刈刃装置の二枚のバリカン刃１１が設けられる。バリカン刃１１は、門型機体３の幅と同等の長さで車幅方向に延在する。バリカン刃１１は、門型機体３の下側において前向きで設けられる。二枚のバリカン刃１１は、車幅方向で異なる位相で往復駆動される。これにより、バリカン刃１１の刃先に入り込んだ茶畝の茶葉や茎を刈り取る。
【００２４】
搬送ダクト８は、下部共通ダクト部１７、右分岐ダクト部１３、左分岐ダクト部１４、および仕切板１８を有する。
【００２５】
下部共通ダクト部１７は、バリカン刃１１の直上に設けられる。下部共通ダクト部１７は、一方向に長尺の四角枠形状を有し、バリカン刃１１に対応する長さで門型機体３の幅と同等の幅に形成される。これにより、下部共通ダクト部１７は、バリカン刃１１の周囲を囲うことができる。バリカン刃１１の直上に下部共通ダクト部１７を設けることにより、バリカン刃１１の直上には基本的に構造物が存在しなくなり、バリカン刃１１で刈り取られた茶葉や茎はバリカン刃１１の上を自由に後側へ移動し得る。
【００２６】
右分岐ダクト部１３と、左分岐ダクト部１４とは、下部共通ダクト部１７の上に、車幅方向に並べて連結される。
【００２７】
右分岐ダクト部１３は、下部共通ダクト部１７の半分よりも幅が狭い長方形の枠形状を有する上部ダクト１９と、上部ダクト１９と下部共通ダクト部１７とを連結する傾斜下部ダクト２０と、を有する。傾斜下部ダクト２０において、右分岐ダクト部１３の流路が上部ダクト１９のサイズまで絞られる。上部ダクト１９は、コンテナ１０に連通する。
【００２８】
左分岐ダクト部１４は、下部共通ダクト部１７の半分よりも幅が狭い長方形の枠形状を有する上部ダクト１９と、上部ダクト１９と下部共通ダクト部１７とを連結する傾斜下部ダクト２０と、を有する。傾斜下部ダクト２０において、左分岐ダクト部１４の流路が上部ダクト１９のサイズまで絞られる。上部ダクト１９は、コンテナ１０に連通する。
このように右分岐ダクト部１３の上部と、左分岐ダクト部１４の上部とが絞られることにより、それらの間にダクトチューブ１５を通すことができる。
【００２９】
搬送ダクト８の下部共通ダクト部１７の後側には、送風ダクト９が設けられる。
送風ダクト９は、一方向に長尺の四角枠形状を有し、下部共通ダクト部１７と同等の幅に形成される。また、送風ダクト９は、搬送ダクト８の下部共通ダクト部１７の後板の下側から前へ回り込むように屈曲された折返片２１を有する。折返片２１は、搬送ダクト８の下部共通ダクト部１７の後板に対応する幅で形成される。これにより、搬送ダクト８の後下縁は、折返片２１により車幅方向全幅にわたって囲われる。また、搬送ダクト８の下部共通ダクト部１７の後板と折返片２１との間に、下部共通ダクト部１７の全幅にわたる長さの吹出口２２が形成される。吹出口２２からは、搬送ダクト８の上部へ向かって上向きの圧力風が吹き出し得る。
これにより、送風機６で生成された圧力風は、搬送ダクト８の後下縁とバリカン刃１１との間から搬送ダクト８内へ向けて吹き出し、搬送ダクト８内で吹き上げる圧力風として供給される。バリカン刃１１の上側に設けられる搬送ダクト８は、バリカン刃１１が刈り取った茶葉を圧力風で吹き上げてコンテナ１０まで搬送することができる。
【００３０】
そして、搬送ダクト８に設けられる仕切板１８は、薄い板材である。仕切板１８は、図４に示すように、搬送ダクト８の下部共通ダクト部１７の車幅方向中央部において、上下方向に沿って設けられる。仕切板１８は、下部共通ダクト部１７内で、右分岐ダクト部１３の傾斜下部ダクト２０と左分岐ダクト部１４の傾斜下部ダクト２０とが連結される中央連結部分から、バリカン刃１１の直上までに設けられる。これにより、下部共通ダクト部１７は、車幅方向において左右に仕切られる。搬送ダクト８は、バリカン刃１１の直上から、右側の搬送路と、左側の搬送路とに二分される。
【００３１】
仕切板１８は、バリカン刃１１の前縁より前側に突出する突出部２３を有する。この突出部２３により、仕切板１８の前縁は、バリカン刃１１の前縁より前側に突出して形成される。
【００３２】
突出部２３は、バリカン刃１１の前側において、下へ延在する。これにより、突出部２３の下縁は、バリカン刃１１と略同じ高さに位置する。また、バリカン刃１１の前側には、仕切り板の突出部２３が位置する。茶畝の茶葉や茎は、バリカン刃１１より先に仕切り板に当たるようになる。
【００３３】
そして、図４の仕切板１８が形成された乗用型茶葉摘採機１は、左右のクローラ２が畝間を走行するようにして茶畝を跨いで走行する。刈刃装置は、バリカン刃１１を車幅方向に駆動する。乗用型茶葉摘採機１の前への走行によりバリカン刃１１に対して前から近づく茶畝の茶葉や茎は、バリカン刃１１の刃先に当たる前に、まず仕切板１８の突出部２３に当たる。これにより、茶畝の茶葉や茎は、仕切板１８の左右に仕分けられる。バリカン刃１１には、既に仕切板１８により左右に仕分けられた茶葉や茎が供給される。よって、バリカン刃１１により茶畝から刈り取られた茶葉や茎は、予めの仕分けに従って、仕切板１８の左右に分かれる。その後、圧力風により、左右別々に吹き上げられて搬送される。
【００３４】
以上のように、本実施形態では、搬送ダクト８についてのバリカン刃１１の直上の下部共通ダクト部１７には、右分岐ダクト部１３と左分岐ダクト部１４とが連結される中央分岐面１６からバリカン刃１１の直上までを仕切る仕切板１８が設けられ、これにより下部共通ダクト部１７が左右に二分される。よって、送風ダクト９により供給されて、搬送ダクト８の後下縁とバリカン刃１１との間から搬送ダクト８内へ向けて吹き出して搬送ダクト８内を吹き上げる圧力風は、吹き込み時点から仕切板１８により分離される。その結果、右分岐ダクト部１３の圧力風と左分岐ダクト部１４の圧力風とが搬送ダクト８の途中で合流して乱れたり、右分岐ダクト部１３と左分岐ダクト部１４とが連結される中央分岐面１６において乱れたりし難くなる。右分岐ダクト部１３の側の圧力風と左分岐ダクト部１４の側の圧力風とは互いに分離した状態のまま、各々のダクト内をスムースに流れるようになる。右分岐ダクト部１３の下流側や左分岐ダクト部１４の下流側において、茶葉の搬送能力が低下し難くなり、ダクト内に茶葉が詰まり難くなる。
【００３５】
また、右分岐ダクト部１３および左分岐ダクト部１４の下側には、バリカン刃１１に対応した幅で長い下部共通ダクト部１７が設けられる。よって、右分岐ダクト部１３と左分岐ダクト部１４との連結部分は、バリカン刃１１の直上に位置せず、バリカン刃１１から上方へ離れたところに位置する。しかも、バリカン刃１１の車幅方向中央部分の直上には、板状の仕切板１８が設けられる。このように、バリカン刃１１の車幅方向中央部分の直上には、右分岐ダクト部１３および左分岐ダクト部１４そのものではなく、薄い板状の部材が設けられている。これにより、バリカン刃１１の車幅方向中央部分の直上の部材による、バリカン刃１１による刈り取り性能に対する影響を最小限にすることができる。これに対して、仮にたとえば右分岐ダクト部１３および左分岐ダクト部１４そのものを、バリカン刃１１の車幅方向中央部分の直上まで延長した場合には、バリカン刃１１の車幅方向中央部分の直上には中央分岐面１６が位置してしまうことになり、中央分岐面１６により茶葉の刈り取りが阻害されて、バリカン刃１１による刈り取り性能に大きな影響を与えてしまう。
【００３６】
しかも、仕切板１８の前縁は、バリカン刃１１の前縁より前側となる位置に達する。よって、バリカン刃１１についての車幅方向中央部では、バリカン刃１１により刈り取りが始まる前に茶畝の茶葉や茎が仕切板１８により左右に仕分けられ易くなる。バリカン刃１１は、仕切板１８により左右に仕分けられた状態で茶畝の茶葉や茎を、他の部分と同様に刈り取り始めることができる。
【００３７】
これに対して、仮にたとえば仕切板１８の前縁がバリカン刃１１の前縁より後側に下がっている場合、バリカン刃１１が刈り取った直後に又は刈り取り中に茶畝の茶葉や茎が仕切板１８に当たることが起き易くなる。特に、乗用型茶葉摘採機１は刈り取りのために前へ走行しているので、仕切板１８に当たることにより茶畝の茶葉や茎には刈り取り中に曲げ力が作用し易い。そして、このようにたとえば刈り取り中に茎が曲がってしまうと、茶畝の中央部の刈り取りが乱れたり、茶畝の中央部と他の部分との間で刈り取り状態が異なってしまったりすることになる。このように刈り取りが乱れた場合、茶畝の茶葉が傷みやすくなるだけでなく、次回の刈り取りにおいても茶葉のばらつきが大きくなってしまう。茶葉の品質が安定し難くなり、低下し易くなる。
【００３８】
また、本実施形態では、仕切板１８の前縁は、バリカン刃１１の前縁より前側となる位置まで突出する突出部２３により形成されるとともに、突出部２３の下縁は、バリカン刃１１の前側において下へ延在する。よって、バリカン刃１１が入る前に、茶畝の茶葉や茎を確実に左右へ仕分けることができる。短い茶葉などが仕切板１８の下側をすり抜けて仕分けられることなくバリカン刃１１により刈り取られてしまうことが起き難くなる。
【００３９】
［第２実施形態］
第２実施形態に係る乗用型茶葉摘採機１は、基本的に第１実施形態と同様であり、以下の説明では主に第１実施形態との相違点について説明する。また、第１実施形態と対応する構成については、第１実施形態と同一の名称および符号を使用する。
【００４０】
図５は、第２実施形態に係る搬送ダクト８および送風ダクト９の説明図である。図５には、搬送ダクト８および送風ダクト９についての車幅方向中央部分が図示されている。
図５において、仕切板１８は、突出部２３を持たず、仕切板１８の前縁は、バリカン刃１１の前縁と同じ前後位置で上下方向に直線状に延在する。
【００４１】
この場合でも、薄い仕切板１８により、下部共通ダクト部１７が車幅方向において左右に仕切られる。搬送ダクト８は、バリカン刃１１の直上から、右側の搬送路と、左側の搬送路とに二分される。
【００４２】
そして、乗用型茶葉摘採機１の前への走行によりバリカン刃１１に対して前から近づく茶畝の茶葉や茎は、バリカン刃１１の刃先に当たる前または同時に、仕切板１８に当たる。これにより、茶畝の茶葉や茎は、仕切板１８の左右に仕分けられる。バリカン刃１１には、仕切板１８により左右に仕分けられた茶葉や茎が供給される。
【００４３】
［第３実施形態］
第３実施形態に係る乗用型茶葉摘採機１は、基本的に第１実施形態と同様であり、以下の説明では主に第１実施形態との相違点について説明する。また、第１実施形態と対応する構成については、第１実施形態と同一の名称および符号を使用する。
【００４４】
図６は、第３実施形態に係る搬送ダクト８および送風ダクト９の説明図である。図６（Ａ）は、搬送ダクト８および送風ダクト９についての車幅方向中央部分の説明図である。図６（Ｂ）は、搬送ダクト８および送風ダクト９の上面図である。
図６（Ｂ）に示すように、バリカン刃１１の前縁より前へ突出する突出部２３は、車幅方向に幅広となる略三角柱形状に形成される。仕切板１８についての突出部２３より後方の部分は、これより薄い厚さの板材で形成される。
【００４５】
これにより、本実施形態では、幅広に形成された突出部２３により、茶畝の茶葉や茎を大きく左右へ振り分けることができる。突出部２３による茶畝の茶葉や茎の仕分け性能を向上させることができ、茶畝の茶葉や茎をより明確に左右に仕分けることができる。
【００４６】
［第４実施形態］
第４実施形態に係る乗用型茶葉摘採機１は、基本的に第１実施形態と同様であり、以下の説明では主に第１実施形態との相違点について説明する。また、第１実施形態と対応する構成については、第１実施形態と同一の名称および符号を使用する。
【００４７】
図７は、第４実施形態に係る搬送ダクト８および送風ダクト９の説明図である。図７には、搬送ダクト８および送風ダクト９についての車幅方向中央部分が図示されている。
図７に示すように、仕切板１８は、送風ダクト９の折返片２１と、搬送ダクト８の後板との間にも設けられる。すなわち、上向きの吹出口２２の内部にも、仕切板１８が設けられる。
【００４８】
これにより、本実施形態では、仕切板１８は、搬送ダクト８の後下縁を車幅方向全幅にわたって囲う折返片２１より後側まで設けられる。すなわち、搬送ダクト８の後板と折返片２１との間に形成される上向きの吹出口２２の内部も、仕切板１８により左右に二分される。よって、折返片２１より折り返されて吹出口２２から吹き出す圧力風は、搬送ダクト８内に吹き出される前に右分岐ダクト部側の圧力風と左分岐ダクト部側の圧力風とに分かれる。その結果、右分岐ダクト部１３の圧力風と左分岐ダクト部１４の圧力風とがより一層分離して互いに入り乱れ難くなる。
【００４９】
以上の実施形態は、本実施形態の好適な実施形態の例であるが、本実施形態は、これに限定されるものではなく、実施形態の要旨を逸脱しない範囲において、種々の変形または変更が可能である。
【符号の説明】
【００５０】
１…乗用型茶葉摘採機
２…クローラ
３…門型機体
４…上板
５…動力源
６…送風機
７…シート
８…搬送ダクト
９…送風ダクト
１０…コンテナ
１１…バリカン刃
１２…刈取機
１３…右分岐ダクト部
１４…左分岐ダクト部
１５…ダクトチューブ
１６…中央分岐面
１７…下部共通ダクト部
１８…仕切板
１９…上部ダクト
２０…傾斜下部ダクト
２１…折返片
２２…吹出口
２３…突出部
【図１】
0006751577.tif 000002
【図２】
0006751577.tif 000003
【図３】
0006751577.tif 000004
【図４】
0006751577.tif 000005
【図５】
0006751577.tif 000006
【図６】
0006751577.tif 000007
【図７】
0006751577.tif 000008